(57)【特許請求の範囲】
【請求項１】
前面側に扉を設けたキャビネットの上部に洗面器を載設して成る洗面化粧台にタオルバーを取り付けるための構造であって、キャビネット内における洗面器の下面近くに、本体部とこの本体部に突設された戸当たり部とを有する内幕板部材を設け、該内幕板部材の戸当たり部を扉の裏面に当接させることにより、該内幕板部材の本体部と扉裏面との間に挿入空間を形成し、洗面器の前面下端縁と扉の上端面との間に上記挿入空間に通ずる開口部を設け、タオルバーの両端部を保持するブラケットを、前記挿入空間においてキャビネットの側板に当接させて取り付けたことを特徴とするタオルバーの取付構造。
【請求項２】
前記ブラケットは、前記内幕板部材に固定されている請求項１に記載するタオルバーの取付構造。
【請求項３】
前記ブラケットは、前記キャビネットの側板に固定されている請求項１に記載するタオルバーの取付構造。
【発明の詳細な説明】
【０００１】
【発明の属する技術分野】
本発明は、洗面化粧台の前面にタオルバーを取り付けるための新規な構造に関する。
【０００２】
【従来の技術】
図８に示すように、従来の洗面化粧台Ｔでは、タオル等を掛けるためのタオルバー５を設ける場合、キャビネット２上に載設した洗面器１と、キャビネット２前面の扉４との間の幕板３に、ブラケット６，６を固定し、このブラケット６，６でタオルバー５の両端を保持するようになされている。
【０００３】
【発明が解決しようとする課題】
本発明は、洗面化粧台にタオルバーを設けるに際し、キャビネットの構成部材点数を少なくして、コストをなるべく抑えるようにすることを目的とする。
【０００４】
【課題を解決するための手段】
本発明が前記目的のために採用したタオルバーの取付構造の特徴とするところは、前面側に扉を設けたキャビネットの上部に洗面器を載設して成る洗面化粧台において、キャビネット内における洗面器の下面近くに、本体部とこの本体部に突設された戸当たり部とを有する内幕板部材を設け、該内幕板部材の戸当たり部を扉の裏面に当接させることにより、該内幕板部材の本体部と扉裏面との間に挿入空間を形成し、洗面器の前面下端縁と扉の上端面との間に上記挿入空間に通ずる開口部を設け、タオルバーの両端部を保持するブラケットを、前記挿入空間においてキャビネットの側板に当接させて取り付けたことである。
【０００５】
かかる構造によれば、タオルバーの両端部を支持するブラケットを固定するための幕板が不要になるから、幕板を省略して部材点数を少なくできる。また、洗面器の前面下端縁と扉の上端面との間の開口部から手指を挿入空間へ挿入して、扉の一端縁を把持することができるから、扉の開閉操作をするための取っ手を不要にすることが可能である。
【０００６】
なお上記構造の実施に当たり、ブラケットの取付態様は次の二通りが考えられる。一つは、前記ブラケットを、前記内幕板部材に固定する態様、もう一つは、前記ブラケットを、前記キャビネットの側板に固定する態様である。
【０００７】
【発明の実施の形態】
［第１の実施形態］
図１乃至図６に、本発明の第１の実施形態を示す。本発明が適用される洗面化粧台Ｓは、洗面器１がキャビネット２の上に載設され、キャビネット２の前面側に扉４を有している。従来の幕板（図８参照）は省略され、代わりに、キャビネット２内における洗面器１の下面近くに内幕板部材１０が取り付けられる。
【０００８】
図２に示す如く、内幕板部材１０は、本体部１１と、この本体部１１に対し直角に突設した戸当たり部１２とから成る。本体部１１は、キャビネット２の左右方向の内のり寸法とほぼ等しい長さを有している。本体部１１の裏面部には、これをキャビネット２の側板２ａへ取り付けるダボ１４（図２（Ｂ）参照）を挿入させるための取付部１３が設けられている。内幕板部材１０は、例えばアルミの押出成形により製作される。
【０００９】
タオルバー５を保持するブラケット７は、例えば図３に示す如く、前記内幕板部材１０及びキャビネット側板２ａにビス８等で取着される固定部７ａ、固定部７ａから前方へ突出させた支持腕部７ｂ、支持腕部７ｂの先端に設けられタオルバー５の両端部を挿入させる保持部７ｃとから成っている。このブラケット７の取り付けは、次のように行われる。
【００１０】
はじめに前記内幕板部材１０を、キャビネット２の側板２ａ，２ａ間に、ダボ１４等を用いて実質的に水平な姿勢で取着する。このとき、本体部１１の上端を側板２ａの上端に一致させ、戸当たり部１２の前端を側板２ａの前端に一致させる。これにより図４に示す如く、内幕板部材１０の本体部１１と、扉４の裏面との間に手指を差し込める程度の挿入空間２０が形成される。また扉４の上端面と洗面器１の下面との間に、手指を挿入可能な程度の開口部２１が形成されるように設定する。
【００１１】
次いで、タオルバー５の両端部を保持部７ｃに挿入させたブラケット７の固定部７ａを、図３のように、内幕板部材１０の本体部１１にビス８で止め付ける。このとき支持腕部７ｂの基端側も、キャビネット側板２ａの前端面へビス８で同時に固定するようにしてもよい。
【００１２】
以上のとおり構成した本例のタオルバー取付構造は、扉４の裏面側に挿入空間２０を設け、この挿入空間２０内にブラケット７を取り付けるようにしたから、従来の幕板３（図８参照）が不要である。依って、キャビネット２の構成部材数を少なくできるから、洗面化粧台の製品価格の低減化に寄与できる。また、ブラケット７を取り付けるための挿入空間２０内へ、洗面器１と扉４との間の開口部２１から手指を差し入れて、扉４の上端部を把持することができるから、取っ手を用いなくても扉４の開閉操作を行える。つまり、取っ手部材の省略が可能である。さらに、幕板を省略した分だけ、扉４の高さ寸法を拡大できるので、キャビネット２の間口寸法が大きくなり、それだけ物品の出し入れが容易になるという利点が得られる。
【００１３】
［第２の実施形態］
図７（Ａ）（Ｂ）に例示するように、ブラケット７を、内幕板部材１０に固定するのではなく、キャビネット２の側板２ａのみに固定する態様も可能である。この場合、ブラケット７の固定部７ａは、側板２ａの前面と側面とに当接する直角部からなるものとすればよい。かかる形状のブラケット７は、内幕板部材１０の取付強度が不足する場合などに用いることができる。
【００１４】
【発明の効果】
本発明によれば、扉の裏面側と内幕板部材との間に設けた挿入空間内に、タオルバーを保持するブラケットを取り付けるようにしたから、従来の幕板を省略して、キャビネットの構成部材数を少なくすることができる。依って、洗面化粧台の製品価格の低減化に寄与する。また、ブラケットを取り付けるための挿入空間内へ、洗面器と扉との間の開口部から手指を差し入れて、扉の上端部を把持できるから、取っ手を用いずに扉の開閉操作を行える。つまり、取っ手部材の省略が可能である。さらに、幕板の省略に伴い、扉の高さ寸法を拡大できるから、キャビネットの間口寸法が大きくなり、それだけ物品の出し入れが容易になる。
【図面の簡単な説明】
【図１】  本発明の第１の実施形態に関するものであって、本発明を適用した洗面化粧台を示す斜視図である。
【図２】  本発明の第１の実施形態に関するものであって、図（Ａ）は内幕板部材を示す中間省略した斜視図、図（Ｂ）は内幕板部材の取付構造を示す要部の正面図である。
【図３】  本発明の第１の実施形態に関するものであって、図（Ａ）はブラケットの取付前の状態を示す要部の斜視図、図（Ｂ）はブラケットの取付状態を示す要部の斜視図である。
【図４】  本発明の第１の実施形態に関するものであって、ブラケットを取り付けた状態を示す要部の側面断面図である。
【図５】  本発明の第１の実施形態に関するものであって、ブラケットを取り付けた状態を、ブラケット以外の部材を仮想線で示した要部の正面図である。
【図６】  本発明の第１の実施形態に関するものであって、ブラケットを取り付けた状態を、ブラケット以外の部材を仮想線で示した要部の平面図である。
【図７】  本発明の第２の実施形態に関するものであって、図（Ａ）はブラケットの取付前の状態を示す要部の斜視図、図（Ｂ）はブラケットの取付状態を示す要部の斜視図である。
【図８】  従来の洗面化粧台を示す斜視図である。
【符号の説明】
Ｓ…洗面化粧台    １…洗面器  ２…キャビネット  ２ａ…側板  ４…扉  ５…タオルバー  ７…ブラケット  ７ａ…固定部  ７ｂ…支持腕部  ７ｃ…保持部  １０…内幕板部材  １１…本体部  １２…戸当たり部  １３…取付部  １４…ダボ  ２０…挿入空間  ２１…開口部
【図１】
0003820549.tif 000002
【図２】
0003820549.tif 000003
【図３】
0003820549.tif 000004
【図４】
0003820549.tif 000005
【図５】
0003820549.tif 000006
【図６】
0003820549.tif 000007
【図７】
0003820549.tif 000008
【図８】
0003820549.tif 000009